(57)【要約】【課題】本発明の目的は、近年の環境問題等に起因する潤滑油組成物の高性能化要求を満たすため、酸化防止性能に優れた潤滑油組成物を提供することにある。【解決手段】本発明の潤滑油組成物は、リン含量が５０〜１５００質量ｐｐｍの潤滑油（Ａ）に、下記の一般式（１）    【化１】2011057718.tif 000026（式中、Ｒ１〜Ｒ６は、水素原子、炭素数１〜１８の炭化水素基又は−ＯＲ１１で表わされる基のいずれかを表わし、Ｒ７〜Ｒ１０は、水素原子、水酸基、炭素数１〜１８の炭化水素基又は−ＯＲ１１で表わされる基のいずれかを表わし、Ｒ１１は炭素数１〜１２の炭素水素基を表わす。なお、Ｒ１〜Ｒ１０から選択される隣合う２つの基はそれぞれ結合して、炭素数５〜１２のシクロアルキル環、シクロアルケニル環又は芳香族環を形成してもよい）で表わされる化合物（Ｂ）を０．０１〜５質量％含有することを特徴とする。【選択図】なし【特許請求の範囲】
【請求項１】
リン含量が５０〜１５００質量ｐｐｍの潤滑油（Ａ）に、下記の一般式（１）
【化１】
2011057718.tif 000025
（式中、Ｒ１〜Ｒ６は、水素原子、炭素数１〜１８の炭化水素基又は−ＯＲ１１で表わされる基のいずれかを表わし、Ｒ７〜Ｒ１０は、水素原子、水酸基、炭素数１〜１８の炭化水素基又は−ＯＲ１１で表わされる基のいずれかを表わし、Ｒ１１は炭素数１〜１２の炭素水素基を表わす。なお、Ｒ１〜Ｒ１０から選択される隣合う２つの基はそれぞれ結合して、炭素数５〜１２のシクロアルキル環、シクロアルケニル環又は芳香族環を形成してもよい）で表わされる化合物（Ｂ）を０．０１〜５質量％含有することを特徴とする潤滑油組成物。
【請求項２】
潤滑油（Ａ）が、鉱物油及び／又は合成油からなる基油に、リン化合物を含有させた潤滑油である、請求項１記載の潤滑油組成物。
【請求項３】
リン化合物が、亜鉛ジチオホスフェート、モリブデンジチオホスフェート及びモリブデンホスフェートからなる群から選択される１種又は２種以上の化合物である、請求項２記載の潤滑油組成物。
【請求項４】
潤滑油（Ａ）のリン含量が２００〜８００質量ｐｐｍである、請求項１ないし３のいずれか１項記載の潤滑油組成物。
【請求項５】
化合物（Ｂ）のＲ１〜Ｒ１０が、アルキル基又はアリール基である、請求項１ないし４のいずれか１項記載の潤滑油組成物。
【請求項６】
化合物（Ｂ）を０．５〜１．５質量％含有する、請求項１ないし５のいずれか１項記載の潤滑油組成物。
【請求項７】
更に、フェノール系酸化防止剤、摩擦低減剤、極圧剤、油性向上剤、清浄剤、分散剤、粘度指数向上剤、流動点降下剤、防錆剤、腐食防止剤及び消泡剤からなる群から選択される１種または２種以上の潤滑油添加剤を含有する、請求項１ないし６のいずれか１項記載の潤滑油組成物。
【請求項８】
請求項１ないし７のいずれか１項記載の潤滑油組成物を含有することを特徴とするエンジン油。
【発明の詳細な説明】
【技術分野】
【０００１】
本発明は、酸化防止性能に優れた潤滑油組成物に関する。
【背景技術】
【０００２】
エンジン油、駆動系油、金属加工油等の潤滑油を長時間使用していると、大気中の酸素や熱、酸性ガスの混入等によって酸化劣化してくる。酸化劣化が進むと、これらの潤滑油は酸化劣化前の能力を発揮できなくなるため、なるべく長時間使用できるように酸化劣化を遅らせる試みがなされてきた。その中で最も一般的に行われているのが、これらの潤滑油に酸化防止剤を含有させることである。
【０００３】
潤滑油の酸化防止剤には様々なものが使用されているが、現在はフェノール系酸化防止剤、アミン系酸化防止剤及び亜鉛ジチオホスフェートを併用しているのが一般的である。これらの酸化防止剤の入った潤滑油は一定の効果を持っているが、近年の環境問題や自動車エンジンの性能向上等により、高温での酸化防止性能の向上や長期間使用できる潤滑油の要求が高まっている。更に、潤滑油に含有されるリン成分は排ガス触媒を被毒するため、潤滑油に含まれるリン成分を削減する要求も同時に高まっているのが現状である。
【０００４】
ここで、潤滑油中のリン成分を削減すると、酸化防止性能が低下すると同時に金属に対する摩耗が増大してしまうという問題があり、潤滑油において一定量のリン成分は必要不可欠な成分となっている。そのため、上記の様々な要求を満たすためには、一定量のリン成分を含有する潤滑油にリンを含有しない酸化防止剤を添加して、潤滑油組成物の酸化防止性能をいかにして向上させるかが課題であった。
【０００５】
こうした中、リン成分を含有した現行の潤滑油の酸化防止性能を向上させるためには、リン成分を含有しない酸化防止剤を増量するしか方法がなかった。しかしながら、フェノール系酸化防止剤は、活性が高く、初期の酸化防止に効果はあるが、比較的早く壊れるため増量しても長期間の使用には耐えられず、一方、アミン系酸化防止剤は、活性が低く、比較的壊れにくいため長期間の使用に向いているが、アミン系酸化防止剤を増量するとスラッジが発生してしまう等の問題があった。
【０００６】
そこで、新規な酸化防止剤として、例えば特許文献１には、
【化１】
2011057718.tif 000002
で示される化合物を、合計で６０重量％（質量％）以上含むスチレン化ジフェニル系化合物からなる潤滑剤酸化防止剤（請求項１）が開示されている。
【０００７】
また、特許文献２には、下記の一般式（１）
【化２】
2011057718.tif 000003
（式中、Ｒ１及びＲ２はアルキレン基を表わし、Ｒ３は水素原子又は炭化水素基を表わし、ｍは１以上の数を表わし、ｎは１以上の数を表わす。）で表わされるポリアミン化合物からなる酸化防止性潤滑油添加剤（請求項１）が開示されている。
【０００８】
【特許文献１】特開平９−５３０８７号公報  特許請求の範囲
【特許文献２】特開平１１−３０２６７８号公報  特許請求の範囲
【発明の開示】
【発明が解決しようとする課題】
【０００９】
しかしながら、特許文献１に開示されているような比較的分子量の大きいアミン系酸化防止剤は、現行の酸化防止剤と比較して劣化のしやすさは同等であるものの、酸化防止性能を大幅に向上させることはできなかった。また、特許文献２に開示されているような非芳香族系のアミン系酸化防止剤は、リン含量が５０〜１５００質量ｐｐｍの範囲内にある潤滑油と併用しても、充分な酸化防止効果が得られないことがあるという問題があった。  
【００１０】
従って、本発明の目的は、近年の環境問題等に起因する潤滑油組成物の高性能化要求を満たすため、酸化防止性能に優れた潤滑油組成物を提供することにある。
【課題を解決するための手段】
【００１１】
そこで、本発明者らは、上記課題を解決するために鋭意検討した結果、酸化防止性能に優れた潤滑油組成物を見出し、本発明を完成するに至った。
即ち、本発明は、リン含量が５０〜１５００質量ｐｐｍの潤滑油（Ａ）に、下記の一般式（１）
【化３】
2011057718.tif 000004
（式中、Ｒ１〜Ｒ６は、水素原子、炭素数１〜１８の炭化水素基又は−ＯＲ１１で表わされる基のいずれかを表わし、Ｒ７〜Ｒ１０は、水素原子、水酸基、炭素数１〜１８の炭化水素基又は−ＯＲ１１で表わされる基のいずれかを表わし、Ｒ１１は炭素数１〜１２の炭素水素基を表わす。なお、Ｒ１〜Ｒ１０から選択される隣合う２つの基はそれぞれ結合して、炭素数５〜１２のシクロアルキル環、シクロアルケニル環又は芳香族環を形成してもよい）で表わされる化合物（Ｂ）を０．０１〜５質量％含有することを特徴とする潤滑油組成物にある。
【００１２】
また、本発明の潤滑油組成物は、潤滑油（Ａ）が、鉱物油及び／又は合成油からなる基油に、リン化合物を含有させた潤滑油であることを特徴とする。
【００１３】
更に、本発明の潤滑油組成物は、リン化合物が、亜鉛ジチオホスフェート、モリブデンジチオホスフェート及びモリブデンホスフェートからなる群から選択される１種又は２種以上の化合物であることを特徴とする。
【００１４】
また、本発明の潤滑油組成物は、潤滑油（Ａ）のリン含量が２００〜８００質量ｐｐｍであることを特徴とする。
【００１５】
更に、本発明の潤滑油組成物は、化合物（Ｂ）のＲ１〜Ｒ１０が、アルキル基又はアリール基であることを特徴とする。
【００１６】
また、本発明の潤滑油組成物は、化合物（Ｂ）を０．５〜１．５質量％含有することを特徴とする。
【００１７】
更に、本発明の潤滑油組成物は、フェノール系酸化防止剤、摩擦低減剤、極圧剤、油性向上剤、清浄剤、分散剤、粘度指数向上剤、流動点降下剤、防錆剤、腐食防止剤及び消泡剤からなる群から選択される１種又は２種以上の潤滑油添加剤を含有することを特徴とする。
【００１８】
また、本発明は、上記潤滑油組成物を含有するエンジン油にある。
【発明の効果】
【００１９】
本発明の効果は、一定量のリン成分を含有した酸化防止性能に優れた潤滑油組成物を提供したことにある。
【発明を実施するための最良の形態】
【００２０】
本発明に使用する潤滑油（Ａ）は、リン含量が５０〜１５００質量ｐｐｍの潤滑油である。こうした潤滑油は、通常、基油にリン化合物を添加したものであり、基油としては、例えば、鉱物油、植物油、動物油等の天然油；ポリ−α−オレフィン、エチレン−α−オレフィン共重合体、ポリブテン、アルキルベンゼン、アルキルナフタレン、ポリアルキレングリコール、ポリフェニルエーテル、アルキル置換ジフェニルエーテル、ポリオールエステル、二塩基酸エステル、炭酸エステル、シリコーン油、フッ素化油、ＧＴＬ（Gas to Liquids）等の合成油が挙げられる。これらの中でも、鉱物油や合成油が好ましく、エンジンオイルとして好適な鉱物油、ポリ−α−オレフィン、エチレン−α−オレフィン共重合体、ＧＴＬがより好ましい。
【００２１】
リン化合物としては、基油に溶解するリン化合物であればいずれも使用することができるが、酸化防止性能を持つリン化合物が好ましい。こうしたリン化合物としては、例えば、トリフェニルホスファイト、ジフェニルイソデシルホスファイト、フェニルジイソデシルホスファイト、４，４−ブチリデンビス（３−メチル−６−ターシャリブチルジイソトリデシル）ホスファイト（以下、「ターシャリブチル」をｔ−ブチルと略記する）、ジステアリルペンタエリスリトールジホスファイト、ジイソデシルペンタエリスリトールジホスファイト、トリス（ノニルフェニル）ホスファイト、トリス（ジノニルフェニル）ホスファイト、トリス（２，４−ジ−ｔ−ブチルフェニル）ホスファイト、ビス（２，４−ジ−ｔ−ブチルフェニル）ペンタエリスリトールホスファイト、ビス（２，６−ジ−ｔ−ブチル−４−メチルフェニル）ペンタエリスリトールホスファイト、２，２−メチレンビス（４，６−ジ−ｔ−ブチルフェニル）オクチルホスファイト、１，１，３−ブチリジントリス（３−メチル−６−ｔ−ブチルフェニルジイソトリデシル）ホスファイト、２，２−プロピリデンビス（３−メチル−６−ｔ−ブチルフェニルジイソトリデシル）ホスファイト、テトラキス（２，４−ジ−ｔ−ブチルフェニル）−４，４−ビフェニレン−ジ−ホスホナイト、９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシルオキシ−９，１０−ジヒドロ−９−オキサ−１０−ホスファフェナントレン、亜鉛ジチオホスフェート、硫化オキシモリブデンジチオホスフェート、モリブデンホスフェート等が挙げられる。これらのリン化合物の中でも、潤滑油の酸化防止剤として良好な性能を示すことから、亜鉛ジチオホスフェート、硫化オキシモリブデンジチオホスフェート、モリブデンホスフェートが好ましい。
【００２２】
また、上述の亜鉛ジチオホスフェートは、下記の一般式（２）で表わされる：
【化４】
2011057718.tif 000005
（式中、Ｒ１２及びＲ１３は炭化水素基を表わし、ａは０〜１／３の数を表わす）
【００２３】
一般式（２）において、Ｒ１２及びＲ１３は、炭化水素基を表わすが、こうした炭化水素基としては、例えば、アルキル基、アルケニル基、アリール基、シクロアルキル基、シクロアルケニル基等が挙げられる。
【００２４】
アルキル基としては、例えば、メチル基、エチル基、プロピル基、イソプロピル基、ブチル基、イソブチル基、２級ブチル基、ターシャリブチル基、ペンチル基、イソペンチル基、２級ペンチル基、ネオペンチル基、ターシャリペンチル基、ヘキシル基、２級ヘキシル基、ヘプチル基、２級ヘプチル基、オクチル基、２−エチルヘキシル基、２級オクチル基、ノニル基、２級ノニル基、デシル基、２級デシル基、ウンデシル基、２級ウンデシル基、ドデシル基、２級ドデシル基、トリデシル基、イソトリデシル基、２級トリデシル基、テトラデシル基、２級テトラデシル、ヘキサデシル基、２級ヘキサデシル基、ステアリル基、エイコシル基、ドコシル基、テトラコシル基、トリアコンチル基、２−ブチルオクチル基、２−ヘキシルオクチル基、２−ヘキシルデシル基、２−オクチルデシル基、２−ヘキシルドデシル基、２−オクチルドデシル基、２−デシルテトラデシル基、２−ドデシルヘキサデシル基、２−ヘキサデシルオクタデシル基、２−テトラデシルオクタデシル基、モノメチル分枝−イソステアリル基等が挙げられる。
【００２５】
アルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基等が挙げられる。
【００２６】
アリール基としては、例えば、フェニル基、トルイル基、キシリル基、クメニル基、メシチル基、ベンジル基、フェネチル基、スチリル基、シンナミル基、ベンズヒドリル基、トリチル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基、スチレン化フェニル基、ｐ−クミルフェニル基、フェニルフェニル基、ベンジルフェニル基、α−ナフチル基、β−ナフチル基等が挙げられる。
【００２７】
シクロアルキル基、シクロアルケニル基としては、例えば、シクロペンチル基、シクロヘキシル基、シクロヘプチル基、メチルシクロペンチル基、メチルシクロヘキシル基、メチルシクロヘプチル基、シクロペンテニル基、シクロヘキセニル基、シクロヘプテニル基、メチルシクロペンテニル基、メチルシクロヘキセニル基、メチルシクロヘプテニル基等が挙げられる。
【００２８】
これらの炭化水素基の中で、Ｒ１２及びＲ１３としては、アルキル基が好ましく、２級アルキル基が更に好ましい。炭素数は、３〜１４であることが好ましく、３〜１０であることが更に好ましく、３〜８であることが最も好ましい。又、Ｒ１２及びＲ１３は、同一の炭化水素基でも異なる炭化水素基でもよい。
【００２９】
更に、一般式（２）において、ａ＝０の場合、中性亜鉛（ジチオ）ホスフェート（中性塩）と呼ばれ、ａが１／３の場合は、塩基性亜鉛（ジチオ）ホスフェート（塩基性塩）と呼ばれている。亜鉛（ジチオ）ホスフェートは、これら中性塩と塩基性塩の混合物であるため、ａは０〜１／３の数で表される。ａの数は亜鉛ジチオホスフェートの製法によって異なるが、０．０８〜０．３が好ましく、０．１５〜０．３が更に好ましく、０．１８〜０．３が最も好ましい。ａの値が大きくなると加水分解安定性が悪くなる傾向にあり、ａの値が小さくなると配合した潤滑油の耐磨耗性が悪くなる傾向にある。
【００３０】
また、上述の硫化オキシモリブデンジチオホスフェートは、一般式（３）で表わされる：
【化５】
2011057718.tif 000006
（式中、Ｒ１４〜Ｒ１７は炭化水素基を表わし、Ｘ１〜Ｘ４は酸素原子または硫黄原子を表わす。）
【００３１】
一般式（３）において、Ｒ１４〜Ｒ１７は炭化水素基を表わすが、こうした炭化水素基としては、例えば、アルキル基、アルケニル基、アリール基、シクロアルキル基、シクロアルケニル基等が挙げられる。
【００３２】
アルキル基としては、例えば、メチル基、エチル基、プロピル基、イソプロピル基、ブチル基、イソブチル基、２級ブチル基、ターシャリブチル基、ペンチル基、イソペンチル基、２級ペンチル基、ネオペンチル基、ターシャリペンチル基、ヘキシル基、２級ヘキシル基、ヘプチル基、２級ヘプチル基、オクチル基、２−エチルヘキシル基、２級オクチル基、ノニル基、２級ノニル基、デシル基、２級デシル基、ウンデシル基、２級ウンデシル基、ドデシル基、２級ドデシル基、トリデシル基、イソトリデシル基、２級トリデシル基、テトラデシル基、２級テトラデシル基、ヘキサデシル基、２級ヘキサデシル基、ステアリル基、エイコシル基、ドコシル基、テトラコシル基、トリアコンチル基、２−ブチルオクチル基、２−ブチルデシル基、２−ヘキシルオクチル基、２−ヘキシルデシル基、２−オクチルデシル基、２−ヘキシルドデシル基、２−オクチルドデシル基、２−デシルテトラデシル基、２−ドデシルヘキサデシル基、２−ヘキサデシルオクタデシル基、２−テトラデシルオクタデシル基、モノメチル分枝−イソステアリル基等が挙げられる。
【００３３】
アルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基等が挙げられる。
【００３４】
アリール基としては、例えば、フェニル基、トルイル基、キシリル基、クメニル基、メシチル基、ベンジル基、フェネチル基、スチリル基、シンナミル基、ベンズヒドリル基、トリチル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基、スチレン化フェニル基、ｐ−クミルフェニル基、フェニルフェニル基、ベンジルフェニル基、α−ナフチル基、β−ナフチル基等が挙げられる。
【００３５】
シクロアルキル基、シクロアルケニル基としては、例えば、シクロペンチル基、シクロヘキシル基、シクロヘプチル基、メチルシクロペンチル基、メチルシクロヘキシル基、メチルシクロヘプチル基、シクロペンテニル基、シクロヘキセニル基、シクロヘプテニル基、メチルシクロペンテニル基、メチルシクロヘキセニル基、メチルシクロヘプテニル基等が挙げられる。
【００３６】
これらの炭化水素基の中で、Ｒ１４〜Ｒ１７としては、アルキル基が好ましく、分岐のアルキル基が更に好ましい。炭素数は、６〜１８であることが好ましく、６〜１５であることが更に好ましく、８〜１３であることが最も好ましい。又、Ｒ１４〜Ｒ１７は、同一の炭化水素基でも異なる炭化水素基でもよい。
【００３７】
一般式（３）のＸ１〜Ｘ４は酸素原子または硫黄原子を表わすが、Ｘ１〜Ｘ４の全てが酸素原子になることはない。少なくとも１つ以上の原子が硫黄原子でなければならず、好ましくは２つの原子が硫黄原子で残りの２つの原子が酸素原子である。
【００３８】
更に、上述のモリブデンホスフェートは、無機のモリブデン化合物と酸性リン酸エステルとを反応させた化合物であればよい。無機のモリブデン化合物としては、例えば、三酸化モリブデン又はその水和物（ＭｏＯ３・ｎＨ２Ｏ）、モリブデン酸（Ｈ２ＭｏＯ４）、モリブデン酸ナトリウム、モリブデン酸カリウム等のモリブデン酸金属塩（Ｍ２ＭｏＯ４；Ｍは金属原子）、モリブデン酸アンモニウム[（ＮＨ４）２ＭｏＯ４又は(ＮＨ４)６（Ｍｏ７Ｏ２４）・４Ｈ２Ｏ]、ＭｏＯＣｌ４、ＭｏＯ２Ｃｌ２、ＭｏＯ２Ｂｒ２、Ｍｏ２Ｏ３Ｃｌ６等が挙げられる。また、これらの無機モリブデン化合物を、スルホキシル酸、亜二チオン酸（ハイドロサルファイト）、亜硫酸、亜硫酸水素、ピロ亜硫酸、チオ硫酸、二チオン酸、スルフィン酸、二酸化チオ尿素、又はそれらのアルカリ金属塩又はアルカリ土類金属塩等の還元剤で還元したものでもよい。これらの無機モリブデン化合物の中でも、入手しやすい三酸化モリブデン又はその水和物、モリブデン酸金属塩、モリブデン酸アンモニウム、又はそれらの還元物を使用することが好ましい。
【００３９】
なお、酸性リン酸エステルは下記の一般式（４）で表わされる：
【化６】
2011057718.tif 000007
（Ｒ１８は炭化水素基を表し、ｍ及びｎは１又は２の数を表し、且つ、ｍ＋ｎ＝３である。）
【００４０】
一般式（４）において、Ｒ１８は炭化水素基を表わすが、こうした炭化水素基としては、例えば、アルキル基、アルケニル基、アリール基、シクロアルキル基、シクロアルケニル基等が挙げられる。
【００４１】
アルキル基としては、例えば、メチル基、エチル基、プロピル基、イソプロピル基、ブチル基、イソブチル基、２級ブチル基、ターシャリブチル基、ペンチル基、イソペンチル基、２級ペンチル基、ネオペンチル基、ターシャリペンチル基、ヘキシル基、２級ヘキシル基、ヘプチル基、２級ヘプチル基、オクチル基、２−エチルヘキシル基、２級オクチル基、ノニル基、２級ノニル基、デシル基、２級デシル基、ウンデシル基、２級ウンデシル基、ドデシル基、２級ドデシル基、トリデシル基、イソトリデシル基、２級トリデシル基、テトラデシル基、２級テトラデシル基、ヘキサデシル基、２級ヘキサデシル基、ステアリル基、エイコシル基、ドコシル基、テトラコシル基、トリアコンチル基、２−ブチルオクチル基、２−ブチルデシル基、２−ヘキシルオクチル基、２−ヘキシルデシル基、２−オクチルデシル基、２−ヘキシルドデシル基、２−オクチルドデシル基、２−デシルテトラデシル基、２−ドデシルヘキサデシル基、２−ヘキサデシルオクタデシル基、２−テトラデシルオクタデシル基、モノメチル分枝−イソステアリル基等が挙げられる。
【００４２】
アルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基等が挙げられる。
【００４３】
アリール基としては、例えば、フェニル基、トルイル基、キシリル基、クメニル基、メシチル基、ベンジル基、フェネチル基、スチリル基、シンナミル基、ベンズヒドリル基、トリチル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基、スチレン化フェニル基、ｐ−クミルフェニル基、フェニルフェニル基、ベンジルフェニル基、α−ナフチル基、β−ナフチル基等が挙げられる。
【００４４】
シクロアルキル基、シクロアルケニル基としては、例えば、シクロペンチル基、シクロヘキシル基、シクロヘプチル基、メチルシクロペンチル基、メチルシクロヘキシル基、メチルシクロヘプチル基、シクロペンテニル基、シクロヘキセニル基、シクロヘプテニル基、メチルシクロペンテニル基、メチルシクロヘキセニル基、メチルシクロヘプテニル基等が挙げられる。
【００４５】
これらの炭化水素基の中でも、潤滑油に入れたときの安定性がよく、スラッジ等が生成しないことから、Ｒ１８はアルキル基とアリール基であることが好ましく、油への溶解性と性能のバランスから、炭素数６〜１８のアルキル基及びアリール基がより好ましく、炭素数６〜１２のアルキル基及びアリール基が更に好ましい。
【００４６】
一般式（４）のｍの値が１のとき、一般式（４）は酸性モノリン酸エステルとなり、ｍの値が２のときは酸性ジリン酸エステルとなる。使用できるリン酸エステルは、酸性モノリン酸エステルでも酸性ジリン酸エステルのどちらでもよく、これらの混合物であってもよい。
【００４７】
また、上述のモリブデンホスフェートは、無機のモリブデン化合物と酸性リン酸エステルとを混合撹拌しながら加温することにより合成することができる。更に詳しくは、モリブデン１原子に対して酸性リン酸エステルを０．５〜２．５モル、好ましくは０．６〜２モル、より好ましくは０．７〜１．５モル混合し、４０〜１００℃の温度で１〜３０時間反応させればよい。無機モリブデン化合物は、反応前に塩酸、硝酸、亜硝酸、硫酸、亜硫酸、過塩素酸、塩素酸、亜塩素酸、次亜塩素酸等の鉱酸で中和してもよく、反応後にこれらの鉱酸で中和してもよい。モリブデンホスフェートの好ましい構造としては、特願２００６−２９４４５５号及び特願２００７−１０１７５７号に記載された下記の一般式（５）及び一般式（６）の化合物が挙げられる：
【化７】
2011057718.tif 000008
（Ｒ１９〜Ｒ２４はそれぞれ水素原子または炭化水素基を表し、ｑは１〜５の数を表す。ただしＲ１８〜Ｒ２３の全てが同時に水素原子になることはない。）
【化８】
2011057718.tif 000009
（Ｒ２５、Ｒ２６及びＲ２７はそれぞれ独立した炭素数１〜２０の炭化水素基を表す。）
【００４８】
次に、本発明で使用する化合物（Ｂ）は、下記の一般式（１）で表わされる：
【化９】
2011057718.tif 000010
（Ｒ１〜Ｒ６は、水素原子、炭素数１〜１８の炭化水素基又は−ＯＲ１１で表わされる基のいずれかを表わし、Ｒ７〜Ｒ１０は、水素原子、水酸基、炭素数１〜１８の炭化水素基又は−ＯＲ１１で表わされる基のいずれかを表わし、Ｒ１１は炭素数１〜１２の炭化水素基を表わす。なお、Ｒ１〜Ｒ１０から選択される隣り合う２つの基はそれぞれ結合して、炭素数５〜１２のシクロアルキル環、シクロアルケニル環又は芳香族環を形成してもよい。）
【００４９】
上記一般式（１）のＲ１〜Ｒ６は、水素原子、炭素数１〜１８の炭化水素基又は−ＯＲ１１で表わされる基のいずれかを表わし、Ｒ７〜Ｒ１０は、水素原子、水酸基、炭素数１〜１８の炭化水素基又は−ＯＲ１１で表わされる基のいずれかを表わすが、Ｒ１〜Ｒ１０の炭素数１〜１８の炭化水素基としては、例えば、アルキル基、アルケニル基、アリール基、シクロアルキル基、シクロアルケニル基等が挙げられる。
【００５０】
アルキル基としては、例えば、メチル基、エチル基、プロピル基、イソプロピル基、ブチル基、イソブチル基、２級ブチル基、ターシャリブチル基、ペンチル基、イソペンチル基、２級ペンチル基、ネオペンチル基、ターシャリペンチル基、ヘキシル基、２級ヘキシル基、ヘプチル基、２級ヘプチル基、オクチル基、２−エチルヘキシル基、２級オクチル基、ノニル基、２級ノニル基、デシル基、２級デシル基、ウンデシル基、２級ウンデシル基、ドデシル基、２級ドデシル基、トリデシル基、イソトリデシル基、２級トリデシル基、テトラデシル基、２級テトラデシル基、ヘキサデシル基、２級ヘキサデシル基、ステアリル基、２−ブチルオクチル基、２−ブチルデシル基、２−ヘキシルオクチル基、２−ヘキシルデシル基、２−オクチルデシル基、２−ヘキシルドデシル基、モノメチル分枝−イソステアリル基等が挙げられる。
【００５１】
アルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基等が挙げられる。
【００５２】
アリール基としては、例えば、フェニル基、トルイル基、キシリル基、クメニル基、メシチル基、ベンジル基、フェネチル基、スチリル基、シンナミル基、ベンズヒドリル基、トリチル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基、スチレン化フェニル基、ｐ−クミルフェニル基、フェニルフェニル基、ベンジルフェニル基、α−ナフチル基、β−ナフチル基等が挙げられる。
【００５３】
シクロアルキル基、シクロアルケニル基としては、例えば、シクロペンチル基、シクロヘキシル基、シクロヘプチル基、メチルシクロペンチル基、メチルシクロヘキシル基、メチルシクロヘプチル基、シクロペンテニル基、シクロヘキセニル基、シクロヘプテニル基、メチルシクロペンテニル基、メチルシクロヘキセニル基、メチルシクロヘプテニル基等が挙げられる。
【００５４】
化合物（Ｂ）は潤滑油への溶解性が高く、低揮発性の化合物であることが好ましい。そのためには、Ｒ１〜Ｒ１０はできるだけ分子量の大きな炭化水素基である方が有利であるが、分子量の小さい化合物は、単位質量あたりの分子数が多くなるため酸化防止性能が優れることになる。また、不飽和結合やエーテル結合が分子内に存在すると耐熱性が悪化する。これらを総合的に判断すると、Ｒ１〜Ｒ１０は、いずれか１つ以上が炭素数１〜１８の炭化水素基であることが好ましく、炭素数１〜１８のアルキル基又はアリール基であることがより好ましく、Ｒ１〜Ｒ１０のいずれか２つ以上が炭素数１〜１２のアルキル基又はアリール基であることが更に好ましい。また、Ｒ１〜Ｒ１０の炭化水素基の合計炭素数は、２〜２０であることが好ましく、３〜１５であることがより好ましい。
【００５５】
基油に、リン化合物をリン含量として５０〜１５００質量ｐｐｍ含有させたものが潤滑油（Ａ）であり、この潤滑油（Ａ）に、化合物（Ｂ）を０．０１〜５質量％含有させたものが本発明の潤滑油組成物である。本発明の潤滑油組成物は、潤滑油（Ａ）と化合物（Ｂ）との相乗効果により従来の潤滑油組成物と比較して良好な酸化防止性能を持つが、その効果が顕著に表れることから、潤滑油（Ａ）のリン含量は、１００〜１０００質量ｐｐｍが好ましく、２００〜８００質量ｐｐｍがより好ましい。リン含量が５０質量ｐｐｍ未満あるいは１５００質量ｐｐｍを超えると、化合物（Ｂ）を添加することによる相乗効果が期待できない。また、化合物（Ｂ）の添加量は、０．０１〜５質量％、好ましくは０．１〜３質量％、よりが好ましくは０．５〜１．５質量％である。化合物（Ｂ）の添加量が０．０１質量％未満の場合は酸化防止効果が期待できず、５質量％を超えるとスラッジの原因となる場合があるので好ましくない。
【００５６】
リン成分は潤滑油の用途によって様々な含量に設定されるが、５０〜１５００質量ｐｐｍの範囲であれば、上記の範囲で化合物（Ｂ）を添加することにより、従来品より高い酸化防止性能を持つ潤滑油組成物を得ることができる。
【００５７】
更に、本発明の潤滑油組成物は、公知の潤滑油添加剤の添加を拒むものではなく、使用目的に応じて、フェノール系酸化防止剤、摩擦低減剤、極圧剤、油性向上剤、清浄剤、分散剤、粘度指数向上剤、流動点降下剤、防錆剤、腐食防止剤、消泡剤などを本発明の効果を損なわない範囲で添加してもよい。但し、これらの中でリン系の添加剤を使用する場合は、エンジン油中の総リン含量が増えるので、本発明で規定した範囲を超えないようにする必要がある。
【００５８】
フェノール系酸化防止剤としては、例えば、２，６−ジ−ｔ−ブチルフェノール、２，６−ジ−ｔ−ブチル−ｐ−クレゾール、２，６−ジ−ｔ−ブチル−４−メチルフェノール、２，６−ジ−ｔ−ブチル−４−エチルフェノール、２，４−ジメチル−６−ｔ−ブチルフェノール、４，４’−メチレンビス（２，６−ジ−ｔ−ブチルフェノール）、４，４’−ビス（２，６−ジ−ｔ−ブチルフェノール）、４，４’−ビス（２−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）、４，４’−ブチリデンビス（３−メチル−６−ｔ−ブチルフェノール）、４，４’−イソプロピリデンビス（２，６−ジ−ｔ−ブチルフェノール）、２，２’−メチレンビス（４−メチル−６−シクロヘキシルフェノール）、２，２’−メチレンビス（４−メチル−６−ノニルフェノール）、２，２’−イソブチリデンビス（４，６−ジメチルフェノール）、２，６−ビス（２’−ヒドロキシ−３’−ｔ−ブチル−５’−メチルベンジル）−４−メチルフェノール、３−ｔ−ブチル−４−ヒドロキシアニソール、２−ｔ−ブチル−４−ヒドロキシアニソール、３−（４−ヒドロキシ−３，５−ジ−ｔ−ブチルフェニル）プロピオン酸オクチル、３−（４−ヒドロキシ−３，５−ジ−ｔ−ブチルフェニル）プロピオン酸ステアリル、３−（４−ヒドロキシ−３，５−ジ−ｔ−ブチルフェニル）プロピオン酸オレイル、３−（４−ヒドロキシ−３，５−ジ−ｔ−ブチルフェニル）プロピオン酸ドデシル、３−（４−ヒドロキシ−３，５−ジ−ｔ−ブチルフェニル）プロピオン酸デシル、３−（４−ヒドロキシ−３，５−ジ−ｔ−ブチルフェニル）プロピオン酸オクチル、テトラキス｛３−（４−ヒドロキシ−３，５−ジ−ｔ−ブチルフェニル）プロピオニルオキシメチル｝メタン、３−（４−ヒドロキシ−３，５−ジ−ｔ−ブチルフェニル）プロピオン酸グリセリンモノエステル、３−（４−ヒドロキシ−３，５−ジ−ｔ−ブチルフェニル）プロピオン酸とグリセリンモノオレイルエーテルとのエステル、３−（４−ヒドロキシ−３，５−ジ−ｔ−ブチルフェニル）プロピオン酸ブチレングリコールジエステル、３−（４−ヒドロキシ−３，５−ジ−ｔ−ブチルフェニル）プロピオン酸チオジグリコールジエステル、４，４’−チオビス（３−メチル−６−ｔ−ブチルフェノール）、４，４’−チオビス（２−メチル−６−ｔ−ブチルフェノール）、２，２’−チオビス（４−メチル−６−ｔ−ブチルフェノール）、２，６−ジ−ｔ−ブチル−α−ジメチルアミノ−ｐ−クレゾール、２，６−ジ−ｔ−ブチル−４−（Ｎ，Ｎ’−ジメチルアミノメチルフェノール）、ビス（３，５−ジ−ｔ−ブチル−４−ヒドロキシベンジル）サルファイド、トリス｛（３，５−ジ−ｔ−ブチル−４−ヒドロキシフェニル）プロピオニル―オキシエチル｝イソシアヌレート、トリス（３，５−ジ−ｔ−ブチル−４−ヒドロキシフェニル）イソシアヌレート、１，３，５−トリス（３，５−ジ−ｔ−ブチル−４−ヒドロキシベンジル）イソシアヌレート、ビス｛２−メチル−４−（３−ｎ−アルキルチオプロピオニルオキシ）−５−ｔ−ブチルフェニル���サルファイド、１，３，５−トリス（４−ｔ−ブチル−３−ヒドロキシ−２，６−ジメチルベンジル）イソシアヌレート、テトラフタロイル−ジ（２，６−ジメチル−４−ｔ−ブチル−３−ヒドロキシベンジルサルファイド）、６−（４−ヒドロキシ−３，５−ジ−ｔ−ブチルアニリノ）−２，４−ビス（オクチルチオ）−１，３，５−トリアジン、２，２−チオ−｛ジエチル−ビス−３−（３，５−ジ−ｔ−ブチル−４−ヒドロキシフェニル）｝プロピオネート、Ｎ，Ｎ’−ヘキサメチレンビス（３，５−ジ−ｔ−ブチル−４−ヒドロキシ―ヒドロシナミド）、３，５−ジ−ｔ−ブチル−４−ヒドロキシ−ベンジル−リン酸ジエステル、ビス（３−メチル−４−ヒドロキシ−５−ｔ−ブチルベンジル）サルファイド、３，９−ビス〔１，１−ジメチル−２−｛β−（３−ｔ−ブチル−４−ヒドロキシ−５−メチルフェニル）プロピオニルオキシ｝エチル〕−２，４，８，１０−テトラオキサスピロ［５，５］ウンデカン、１，１，３−トリス（２−メチル−４−ヒドロキシ−５−ｔ―ブチルフェニル）ブタン、１，３，５−トリメチル−２，４，６−トリス（３，５−ジ−ｔ−ブチル−４−ヒドロキシベンジル）ベンゼン、ビス｛３，３’−ビス−（４’−ヒドロキシ−３’−ｔ−ブチルフェニル）ブチリックアシッド｝グリコールエステル等が挙げられる。
【００５９】
フェノール系酸化防止剤の含量は、本発明の潤滑油組成物全量に対して０．０１〜５質量％が好ましく、０．０５〜４質量％がより好ましく、０．１〜３質量％が更に好ましい。０．０１質量％以下になると、フェノール系酸化防止剤の効果が現れない場合があり、５質量％を超えると、添加量に見合った効果が得られない場合やスラッジを発生させる場合がある。
【００６０】
摩擦低減剤としては、例えば、硫化オキシモリブデンジチオカルバメート等の有機モリブデン化合物が挙げられる。これら摩擦低減剤の好ましい配合量は、基油に対してモリブデン含量で３０〜２０００質量ｐｐｍ、より好ましくは５０〜１０００質量ｐｐｍである。
【００６１】
極圧剤としては、例えば、硫化油脂、オレフィンポリスルフィド、ジベンジルスルフィド等の硫黄系添加剤；モノオクチルホスフェート、トリブチルホスフェート、トリフェニルホスファイト、トリブチルホスファイト、チオリン酸エステル等のリン系化合物；チオリン酸金属塩、チオカルバミン酸金属塩、亜鉛ホスフェート等の酸性リン酸エステル金属塩等の有機金属化合物などが挙げられる。これら極圧剤の好ましい配合量は、基油に対して０．０１〜２質量％、より好ましくは０．０５〜１質量％である。なお、これらの極圧剤の中には、耐磨耗剤としての性能を持つものもある。
【００６２】
油性向上剤としては、例えば、オレイルアルコール、ステアリルアルコール等の高級アルコール類；オレイン酸、ステアリン酸等の脂肪酸類；オレイルグリセリンエステル、ステアリルグリセリンエステル、ラウリルグリセリンエステル等のエステル類；ラウリルアミド、オレイルアミド、ステアリルアミド等のアミド類；ラウリルアミン、オレイルアミン、ステアリルアミン等のアミン類；ラウリルグリセリンエーテル、オレイルグリセリンエーテル等のエーテル類が挙げられる。これら油性向上剤の好ましい配合量は、基油に対して０．１〜５質量％、より好ましくは０．２〜３質量％である。
【００６３】
清浄剤としては、例えば、カルシウム、マグネシウム、バリウムなどのスルフォネート、フェネート、サリシレート、フォスフェート及びこれらの過塩基性塩が挙げられる。これらの中でも過塩基性塩が好ましく、過塩基性塩の中でもＴＢＮ（トータルベーシックナンバー）が３０〜５００ｍｇＫＯＨ／ｇのものがより好ましい。更に、リン及び硫黄原子のないサリシレート系の清浄剤が好ましい。これらの清浄剤の好ましい配合量は、基油に対して０．５〜１０質量％、より好ましくは１〜８質量％である。
【００６４】
分散剤としては、例えば、重量平均分子量約５００〜３０００のアルキル基またはアルケニル基が付加されたコハク酸イミド、コハク酸エステル、ベンジルアミン又はこれらのホウ素変性物等が挙げられる。これらの分散剤の好ましい配合量は、基油に対して０．５〜１０質量％、より好ましくは１〜８質量％である。
【００６５】
粘度指数向上剤としては、例えば、ポリ（Ｃ１〜１８）アルキルメタクリレート、（Ｃ１〜１８）アルキルアクリレート／（Ｃ１〜１８）アルキルメタクリレート共重合体、ジエチルアミノエチルメタクリレート／（Ｃ１〜１８）アルキルメタクリレート共重合体、エチレン／（Ｃ１〜１８）アルキルメタクリレート共重合体、ポリイソブチレン、ポリアルキルスチレン、エチレン／プロピレン共重合体、スチレン／マレイン酸エステル共重合体、スチレン／イソプレン水素化共重合体等が挙げられる。あるいは、分散性能を付与した分散型もしくは多機能型粘度指数向上剤を用いてもよい。重量平均分子量は１０，０００〜１，５００，０００程度である。これらの粘度指数向上剤の好ましい配合量は、基油に対して０．１〜２０質量％。より好ましくは０．３〜１５質量％である。
【００６６】
流動点降下剤としては、例えば、ポリアルキルメタクリレート、ポリアルキルアクリレート、ポリアルキルスチレン、ポリビニルアセテート等が挙げられ、重量平均分子量は１０００〜１００，０００である。これらの流動点降下剤の好ましい配合量は、基油に対して０．００５〜３質量％、より好ましくは０．０１〜２質量％である。
【００６７】
防錆剤としては、例えば、亜硝酸ナトリウム、酸化パラフィンワックスカルシウム塩、酸化パラフィンワックスマグネシウム塩、牛脂脂肪酸アルカリ金属塩、アルカリ土類金属塩又はアミン塩、アルケニルコハク酸又はアルケニルコハク酸ハーフエステル（アルケニル基の分子量は１００〜３００程度）、ソルビタンモノエステル、ノニルフェノールエトキシレート、ラノリン脂肪酸カルシウム塩等が挙げられる。これらの防錆剤の好ましい配合量は、基油に対して０．０１〜３質量％、より好ましくは０．０２〜２質量％である。
【００６８】
腐食防止剤としては、例えば、ベンゾトリアゾール  ベンゾイミダゾール  ベンゾチアゾール  テトラアルキルチウラムジサルファイド等が挙げられる。これら腐食防止剤の好ましい配合量は、基油に対して０．０１〜３質量％、より好ましくは０．０２〜２質量％である。
【００６９】
消泡剤としては、例えば、ポリジメチルシリコーン、トリフルオロプロピルメチルシリコーン、コロイダルシリカ、ポリアルキルアクリレート、ポリアルキルメタクリレート、アルコールエトキシ／プロポキシレート、脂肪酸エトキシ／プロポキシレート、ソルビタン部分脂肪酸エステル等が挙げられる。これらの消泡剤の好ましい配合量は、基油に対して０．００１〜０．１質量％、より好ましくは０．００１〜０．０１質量％である。
【実施例】
【００７０】
以下、本発明を実施例により具体的に説明する。尚、以下の実施例等において、「％」及び「ｐｐｍ」は特に記載がない限り質量基準である。
以下に試験に用いた化合物を記載する：
（Ａ−１）：亜鉛ジブチルジチオホスフェート
【化１０】
2011057718.tif 000011
【００７１】
（Ａ−２）：モリブデンホスフェート
【化１１】
2011057718.tif 000012
【００７２】
（Ｂ−１）：１，２，３，４−テトラヒドロキノリン
【化１２】
2011057718.tif 000013
【００７３】
（Ｂ−２）：２，２，４−トリメチル−１，２，３，４−テトラヒドロキノリン
【化１３】
2011057718.tif 000014
【００７４】
（Ｂ−３）：２，４−ジフェニル−１，２，３，４−テトラヒドロキノリン
【化１４】
2011057718.tif 000015
【００７５】
（Ｃ−１：比較化合物）：ジ２−エチルヘキシルフェニルアミン
【化１５】
2011057718.tif 000016
【００７６】
（Ｃ−２：比較化合物）：フェニル−α−ナフチルアミン
【化１６】
2011057718.tif 000017
【００７７】
（Ｃ−３：比較化合物）：Ｎ，Ｎ’−ジイソブチル−ｐ−フェニレンアミン
【化１７】
2011057718.tif 000018
【００７８】
（Ｃ−４：比較化合物）
ジ２−エチルヘキシルフェニルアミン
【化１８】
2011057718.tif 000019
ベンゼンプロパン酸３，５−ビス（１，１−ジメチルエチル）−４−ヒドロキシＣ７−９分岐アルキルエステル
【化１９】
2011057718.tif 000020
（Ｒ：Ｃ７−９分岐アルキル基）
Ｃ−４は、上記アミンとフェノールを１：１（質量比）で配合
【００７９】
（基油）
動粘度４．２４ｍｍ２／秒（１００℃）、１９．６５ｍｍ２／秒（４０℃）、粘度指数＝１２６の鉱物油系高粘度ＶＩ油
【００８０】
＜酸化劣化試験＞
上記（Ａ−１）及び（Ａ−２）で表わされるリン化合物を表１及び表２に示した割合で基油に溶解させ、リン濃度の異なる試験油Ａ１（試験油１〜１１）及び試験油Ａ２（試験油１２〜２２）を作製した。この試験油Ａ１及びＡ２に化合物（Ｂ−１）〜（Ｂ−３）及び（Ｃ−１）〜（Ｃ−４）をそれぞれ１質量％になるように添加し、試験用の潤滑油組成物を得た。
酸化劣化試験は、この試験用の潤滑油組成物３ｍｇ測りとり、アルミ製セルに装填し、セルを下記に示した装置にセットした後密封し、空気により６９０ｋＰａまで加圧した。その後、昇温を開始し、１６０℃に到達した時点を測定開始時刻とし、温度を１６０℃に保ったまま、サンプルの急激な発熱が確認できた時点を測定終了時刻とした。酸化誘導期間として、測定開始時刻から測定終了時刻までの時間を試験結果とした。この時間が長いほど酸化防止性能が良好である。なお、試験油Ａ１での結果を表３に、試験油Ａ２の結果を表４に記した。
測定機器：ＤＳＣ２９２０  Differential Scanning Calorimeter（示差走査熱量計）
［ティー・エー・インスツルメンツ社（TA Instruments社）製］
【００８１】
【表１】
2011057718.tif 000021
【００８２】
【表２】
2011057718.tif 000022
【００８３】
【表３】
2011057718.tif 000023
なお、リン化合物を含有しない基油そのものを「試験油０」として試験に使用した。
【００８４】
【表４】
2011057718.tif 000024
なお、リン化合物を含有しない基油そのものを「試験油０」として試験に使用した。
【００８５】
上記結果より、（Ｂ−１）〜（Ｂ−３）の化合物を添加した潤滑油組成物は、従来の潤滑油組成物に使用されてきた（Ｃ−１）〜（Ｃ−４）の比較化合物を添加した潤滑油組成物と比較して、５０〜１５００ｐｐｍという広範囲なリン含量において、明らかに高い酸化防止性能を示している。潤滑油組成物のリン含量は、潤滑油組成物の用途や他に添加される添加剤の種類等によって様々に変化させるものであるが、５０〜１５００ｐｐｍの領域であれば、本発明の潤滑油組成物は、従来の潤滑油組成物より高い酸化防止性能を得ることができる。
【産業上の利用可能性】
【００８６】
本発明の潤滑油組成物は潤滑の用途であればいずれにも使用することができ、例えば、ガソリンエンジン油、ディーゼルエンジン油等のエンジン油、ギヤー油、タービン油、作動油、難燃性作動液、冷凍機油、コンプレッサー油、真空ポンプ油、軸受油、絶縁油、しゅう動面油、ロックドリル油、金属加工油、塑性加工油、熱処理油、グリース等の潤滑油に使用することができる。これらの中でも、使用環境が厳しく、高い酸化防止性能が要求されるエンジン油やタービン油で使用することが好ましく、エンジン油で使用することがより好ましい。